(57)【特許請求の範囲】
【請求項１】
ブロワの吐出口を左右に回動可能に構成し、該吐出口にワイヤを連結し、該ワイヤを左右後方にそれぞれ延設して、各ワイヤの後部にそれぞれ吐出口を中立位置に復帰させる第二のばねと、左右一側へ回動するアームを配設したことを特徴とするブロワ。
【請求項２】
前記左右のワイヤを、後方において連結して環状に構成し、前記アームを左右回動レバーと連結し、前記ワイヤに左右回動レバーを元の位置に戻す第一のばねを配設したことを特徴とする請求項１記載のブロワ。
【請求項３】
前記左右のワイヤ上にそれぞれロッドを固設し、前記第一のばねを該ロッド上に外嵌させるとともに、前記アームにより該ロッドを係止して後方に引張る構成としたことを特徴とする請求項１又は請求項２記載のブロワ。
【請求項４】
ブロワケースをメインフレームに対して前後回動可能に支持し、該ブロワケースの上部位置に上下回動機構を配設し、該上下回動機構をハンドルに設けた上下回動レバーと連結し、ブロワの吐出パイプを上下方向回動可能に構成したことを特徴とするブロワ。
【発明の詳細な説明】
【０００１】
【発明の属する技術分野】
本発明は、庭や工事敷地内等における清掃作業のために、落葉や塵屑を吹き飛ばして掃除しやすい場所に集めるためのブロワの構造に関する。
【０００２】
【従来の技術】
従来から、庭園等に落ちている落葉やゴミ等を吹き飛ばして掃除しやすい場所に集めるために、ブロワを用いる技術が公知となっている。そして、該ブロワは機体本体にバッテリー及び電動モータを載置し、該電動モータによりファンを駆動する構成としたものが、特願平１０−１８４４２７において同一出願人により出願済みであり、該従来技術においては、ブロワの送風方向を調整するために、ブロワを上下及び、左右に回動可能に構成していた。
【０００３】
【発明が解決しようとする課題】
しかし、上記従来技術においては、ブロワの上下方向の回動においては、ブロワの下部に上下方向の回動機構を設けている為、ブロワの回動支点との距離が小さく、回動させるために大きな力が必要となり、操作性が良くなかった。また、左右方向の回動においては、ブロワの前部に設けられた回動基部とハンドル上の操作レバーとの間に操作ワイヤを接続させる構成としていたため、ワイヤの長さが長く、改善が望まれていた。
【０００４】
【課題を解決するための手段】
以上が本発明の解決する課題であり、次に課題を解決するための手段を説明する。即ち、ブロワの吐出口を左右に回動可能に構成し、該吐出口にワイヤを連結し、該ワイヤを左右後方にそれぞれ延設して、各ワイヤの後部にそれぞれ吐出口を中立位置に復帰させる第二のばねと、左右一側へ回動するアームを配設した。
【０００５】
また、前記左右のワイヤを、後方において連結して環状に構成し、前記アームを左右回動レバーと連結し、前記ワイヤに左右回動レバーを元の位置に戻す第一のばねを配設した。
【０００６】
また、前記左右のワイヤ上にそれぞれロッドを固設し、前記第一のばねを該ロッド上に外嵌させるとともに、前記アームにより該ロッドを係止して後方に引張る構成とした。
【０００７】
また、ブロワケースをメインフレームに対して前後回動可能に支持し、該ブロワケースの上部位置に上下回動機構を配設し、該上下回動機構をハンドルに設けた上下回動レバーと連結し、ブロワの吐出パイプを上下方向回動可能に構成した。
【０００８】
【発明の実施の形態】
次に本発明の実施の形態を添付の図面を用いて説明する。図１は本発明の電動ブロワの全体斜視図、図２は電動ブロワの上下回動機構を示す斜視図、図３は同じく側面図、図４は電動ブロワの吐出口付近を示す斜視図、図５は電動ブロワの左右回動機構を示す平面模式図、図６は第一のばねと左右回動レバーの連結構造を示す模式図、図７は第一のばねの伸縮状態を示す斜視図である。
【０００９】
まず、図１を用いて本実施例の全体構成について説明する。電動ブロワ１は、機体本体２、ブロワパイプ部３、及びハンドル部４からなり、機体本体２はメインフレーム９上にブロワケース２０の取付フレームを載置し、ブロワケース２０内に図示せぬブロワファンを内装し、該ブロワケース２０を挟むように両側から左右のカバー２ａ・２ａを被装している。該カバー２ａ・２ａはブロワケース２０に脱着可能に構成され、内部には図示せぬ電動モータ、バッテリ等を載置しており、該電動モータの駆動により前記ブロワファンを駆動回転するように構成している。また、ブロワケース２０の一側には図示せぬ空気取り入れ開口が設けられ、該空気取り入れ開口より周囲の空気がブロワケース２０内部に導かれ、前記ブロワファンの回転によりブロワケース２０下側の前部に設けられた送風口２１より下方に送風される構成としている。
【００１０】
そして、該送風口２１の下端には水平方向に回動可能な吐出口２２が装着されており、該吐出口２２は中途部で屈曲してその先端が前方に延設している。該吐出口２２の端部には蛇腹状のフレキシブルホース３０の基部側端部が固設され、該フレキシブルホース３０の先端側の端部においては吐出パイプ３１を取り付けており、フレキシブルホース３０及び吐出パイプ３１の二者によってブロワパイプ部３を構成している。
【００１１】
また、前記ハンドル部４は、ハンドルフレーム４１がメインフレーム９の後端より立設され、ハンドルフレーム４１の上端に機体の操向操作を行うハンドル４２と、後述するブロワ左右回動機構に連動した左右回動レバー４３Ｌ・４３Ｒが設けられており、ハンドルフレーム４１の中途部にはコントロールボックス４４が配設されている。そして、ハンドルフレーム４１の下端には、左右の支持フレーム４５・４５が連結され、該支持フレーム４５・４５は下方向に延設して下端において、後輪５を化回転自在に支持している。
【００１２】
また、メインフレーム９の前後中途部には、前輪支持軸６ａが軸支されており、該前輪支持軸６ａの両端に前輪６・６を支持している。このように本発明の電動ブロワ１は前輪６及び後輪５により移動可能で、ハンドル４２の操向操作により、後輪６を回動させて、操向可能な構成としている。
【００１３】
前記コントロールボックス４４には、図示せぬメインスイッチ、バッテリメーター等が配設されており、該メインスイッチのＯＮ／ＯＦＦ操作で、本発明の電動ブロワ１の駆動を操作し、また、前記ハンドル４２上に設けられた、ブロワ調整レバーにより、電動ブロワ１の送風量の調整を可能としている。
【００１４】
次に、電動ブロワ１のエアーの送風方向を調整する左右回動機構７及び上下回動機構８について説明する。まず、図２及び図３を用いて上下回動機構８について説明する。ブロワケース２０を支持するフレームとメインフレーム９の間が回動自在に枢支されて回動支点とし、ハンドルフレーム４１の下端に連結される前記支持フレーム４５・４５の中途部分には、図２に示すように上下回動機構８が配設されており、該上下回動機構８は、ハンドル４１に設けられた上下回動レバー４６に連動したワイヤ８１と、該ワイヤ８１に連動する回動部材８２等より構成されている。
【００１５】
回動部材８２は図２及び図３に示すように、回動軸８２ａが支持フレーム４５・４５の中途部分間に枢支され、該回動軸８２ａの上面にプレート８２ｂが固設され、該プレート８２ｂは逆Ｌ字状に中途部が屈曲され、その上端部は連結パイプ８２ｃに固着され、該連結パイプ８２ｃは左右の連結プレート８２ｄ・８２ｄに横架したボルト８２ｇにより枢支されており、該連結プレート８２ｄ・８２ｄの前部は、前記ブロワケース２０の後部に形成されたケース把持部２３の両側から挟むように延設するとともに、その先端をボルト８２ｅによりケース把持部２３に枢支されている。
【００１６】
また、前記回動軸８２ａの一側には回動プレート８２ｆが突設されており、該回動プレート８２ｆは、下方前方に突出して、その端部に前記ワイヤ８１の一端を連結している。該ワイヤ８１は上方に延設して、支持フレーム４５の中途部に設けられた、ガイド４５ａに案内されて、上方の前記上下回動レバー４６に接続している。
【００１７】
以上の構成において、上下回動レバー４６を作業者が操作すると、ワイヤ８１に連動して、回動プレート８２ｆが図３における矢視Ｘ方向に回動し、これにより一体的にプレート８２ｂが回動して、連結プレート８２ｄを介して前記ブロワケース２０のケース把持部２３を後方に引っ張って、ブロワケース２０を図１、図３における矢視Ｙ方向に回動させる。一方、ブロワケース２０は下部において、機体本体２のやや後方位置で、上下方向回動自在に軸支されているため、該ケース把持部２３の回動により、ブロワケース２０、前記ブロワパイプ部３が一体的に回動し、ブロワパイプ部３の吐出パイプ３１から吐出される風の方向を上下方向に調整可能としているのである。
【００１８】
このように本発明においては、ブロワによる送風方向を上下方向に調整するために、ブロワケース２０の把持部２３に上下回動機構８を設けている。そして、該ケース把持部２３と上下回動機構８との連結点である前記ボルト８２ｅの位置が、ブロワケース２０の上方位置にあり、ブロワの回動支点との距離が離れているため、ワイヤ８１により回動部材８を回動させる力を小さくすることが可能となり、上下回動レバー４６による操作が楽に行えるようになった。また、回動部材８２、ワイヤ８１等に大きな負荷がかかることがなく、構成部材の耐久性が向上した。
【００１９】
次に図４乃至図７を用いてブロワパイプ部３の左右回動機構７の構成について説明する。図４に示すように、前記ブロワケース２０の送風口２１の下端に装着された吐出口２２は水平方向（前述したように、ブロワケース２０が上下方向に回動している状態では水平方向ではないが）に回動可能に構成されており、該吐出口２２の上部にはワイヤ支持部材２５が装着固定されている。ワイヤ支持部材２５は左右の支持部材２５ａ・２５ａを前後方向に配設し、該支持部材２５ａ・２５ａにはそれぞれ、ワイヤ孔が穿設されており、該ワイヤ孔には左右回動ワイヤ７１の端部が挿入固定されている。
【００２０】
そして、該左右回動ワイヤ７１は、吐出口２２の外面に添うようにして後方に延設し、ローラ７３・７３を巻回して一周するように配置している。
ブロワケース２０の両側側部においては、図５及び図６に示すように左右回動ワイヤ７１上にロッド７４・７４が固設されている。
【００２１】
一方、ブロアケースを支持するフレームにはロッド支持板７５ａ・７５ｂが前後に立設されており、該ロッド支持板７５ａ・７５ｂに、ロッド７４を挿嵌させて摺動可能に支持している。また、該ロッド支持板７５ａ・７５ｂの間において、第一のばね７６がロッド７４上に外嵌され、該第一のばね７６の前端とロッド支持部材７５ａとの間にアーム７７が配設されている。アーム７７には、ロッド７４の外径よりもやや大き目の遊びをもたせたロッド孔７７ｃが穿設されており、該ロッド孔７７ｃにおいてロッド７４を挿嵌するとともに、該アーム７７は上方に延設して、後述する押圧ピン７８ｂに当接している。
【００２２】
また、回動レバー７８の上部がブロア支持フレームに回動支点軸７８ａによって回動自在に支持され、該回動レバー７８は断面略コ字状に形成され、該回動レバー７８の下部に前記押圧ピン７８ｂを懸架支持し、前記アーム７７の上部を嵌合している。
また、前記回動支点軸７８ａの下部においてワイヤ４７の一端を連結し、該ワイヤ４７の他端は前記ハンドル部４に設けられた左右回動レバー４３Ｌ・４３Ｒに連結している。
【００２３】
また、前記ローラ７３・７３はブロア支持フレームに配設された支持台２７上に回転自在に軸支されて、前述のように左右回動ワイヤ７２が巻回され、前記ロッド７４・７４間をガイドしている。そして、該支持台２７の前端部には、吐出口２２の中立への復帰用の第二のばね７９・７９の一端が係止されており、該第二のばね７９・７９の他端はそれぞれ前方に延設して、ロッド７４・７４の後端部分に係止して、ロッド７４・７４を後方へ引っ張って吐出パイプ３１が前方を向くように付勢している。
【００２４】
以上の構成において、作業者が前記左右回動レバー４３Ｌ・４３Ｒのうち、一方を握ると、これに連動して前記ワイヤ７９が後方に引かれ、回動レバー７８は回動支点軸７８ａを中心に回動される。該回動レバー７８の回動により押圧ピン７８ｂが前記アーム７７に当接して、図６における矢視Ｚ方向に押圧する。このとき、該アーム７７のロッド孔７７ｃは前述の如くロッド７４の外径よりもやや大き目に形成されているので、図７の如く、該アーム７７がやや傾いた状態でロッド７４外周に引っかかり、該アーム７７とロッド７４が一体となって後方に移動するのである。なお、図６、図７においては右側のハンドル４２に配設された左右回動レバー４３Ｒを操作した場合の、機体右側の左右回動機構７の動作状態を示しており、左側の左右回動レバー４３Ｌを操作した場合も、機体左側の左右回動機構７において同様の動作を行うものである。
【００２５】
これにより、該ロッド７４がアーム７７に押圧された状態のまま前記支持板７５ａ・７５ｂ間を後方に摺動移動するため、図７の如く前記第一のばね７６はアーム７７とロッド支持板７５ｂ間において縮小する。そして、該ロッド７４の前端に固設された左右回動ワイヤ７１が後方に引張られ、これにより図４の如く、前記吐出口２２が左右回動を行うのである。このように、本発明においては、吐出口２２の回動を操作するアーム７７が吐出口２２の位置よりも後方に配設されているため、ワイヤ４７の長さを短くすることが可能となり、操作性が向上し、また左右回動機構７の動作も安定する。
【００２６】
そして、上述したように左右回動機構７は、左右回動ワイヤ７１・７２、左右のロッド７４・７４により環状に構成されているので、例えば右側の左右回動レバー４３Ｒが操作されて、右側のロッド７４が後方に摺動すると、これに連動して、左右回動ワイヤ７２が前記ローラ７３・７３を経由して、左側に送られる。一方、前方の吐出口２２が右側に回動することにより、左側の左右回動ワイヤ７１が前方に引張れる。これにより、左側のロッド７４は前方に移動するのである。
【００２７】
そして、作業者が前記左右回動レバー４３Ｒを開放すれば、これにより右側のアーム７７によるロッド７４を後方へ押下する回動力が解除される。そして、該アーム７７と後部のロッド支持板７５ｂとの間に介装された第一のばね７６のばね力により、該アーム７７が前方に付勢される。同時に、左側のロッド７４の後部に設けれた第２のばね７９のばね力により、左側のロッド７４が後方に引っ張られる。つまり、一側のロッド７４を後方へ移動させて吐出口２２を一側へ回動させた場合において、左右回動レバー４３Ｒ（又は４３Ｌ）が解除されると、他側の第２のばね７９の付勢力により、吐出口２２は元の位置（中央位置）に復帰し、一側の第一のばね７６の付勢力によりアーム７７が元の位置に戻り、回動レバー７８、ワイヤ４７を介して左右回動レバー４３Ｒが元の位置に戻るよう構成されているのである。
【００２８】
このように、左右回動機構７は、ロッド７４上に設けられた第一のばね７６と支持板２７間に設けられた第二のばね７９により、左右回動した吐出口２２を中立位置に復帰させる構成としているので、中立位置への復帰が確実なものとなり、操作性に優れたブロワを提供可能となった。
【００２９】
【発明の効果】
本発明の電動ブロワは以上の如く構成したので、以下のような効果を奏するものである。即ち、ブロワの吐出口を左右に回動可能に構成し、該吐出口にワイヤを連結し、該ワイヤを左右後方にそれぞれ延設して、各ワイヤの後部にそれぞれ吐出口を中立位置に復帰させる第二のばねと、左右一側へ回動するアームを配設したので、アームの位置がブロワの吐出口の位置よりも後方にあるため、ハンドル部に配設する操作レバーとの距離が短く、操作レバーとアーム間に設けるワイヤが短縮され、操作性が向上した。また、第二のばねにより、中立位置への復帰が確実に行えるため、操作性がよく、作業効率が高くなった。
【００３０】
また、前記左右のワイヤを、後方において連結して環状に構成し、前記アームを左右回動レバーと連結し、前記ワイヤに左右回動レバーを元の位置に戻す第一のばねを配設したので、一本のワイヤで吐出口を回動することが可能となり、第一のばねの付勢力により左右回動レバーを戻すことができて、ハンドルまわりの構造を簡単することができ、また、吐出口を中立位置へ速く復帰させることができる。
【００３１】
また、前記左右のワイヤ上にそれぞれロッドを固設し、前記第一のばねを該ロッド上に外嵌させるとともに、前記アームにより該ロッドを係止して後方に引張る構成としたので、アームとの接触により摩擦が発生する要部において、構造が丈夫なロッドを使用しており、ワイヤが摩耗して損傷等を起こすのを防止でき、耐久性が向上した。また、第一ばねを省スペースで配置することができる。
【００３２】
また、ブロワケースをメインフレームに対して前後回動可能に支持し、該ブロワケースの上部位置に上下回動機構を配設し、該上下回動機構をハンドルに設けた上下回動レバーと連結し、ブロワの吐出パイプを上下方向回動可能に構成したので、吐出方向を容易に変更できるようになり、また、操作レバーによる回動操作に要する力が小さくてすみ、操作性が向上するとともに、構成部品に大きな負荷がかかるのを防止可能となった。
【図面の簡単な説明】
【図１】本発明の電動ブロワの全体斜視図である。
【図２】電動ブロワの上下回動機構を示す斜視図である。
【図３】同じく側面図である。
【図４】電動ブロワの吐出口付近を示す斜視図である。
【図５】電動ブロワの左右回動機構を示す平面模式図である。
【図６】第一ばねと左右回動レバーの連結構造を示す側面模式図である。
【図７】第一ばねの伸縮状態を示す斜視図である。
【符号の説明】
７      左右回動機構
８      上下回動機構
２０    ブロワケース
２１    送風口
２２    吐出口
７１    左右回動ワイヤ
７２    左右回動ワイヤ
７４    ロッド
７６    第一のばね
７９    第二のばね
８１    上下回動ワイヤ
【図１】
0004023947.tif 000002
【図２】
0004023947.tif 000003
【図３】
0004023947.tif 000004
【図４】
0004023947.tif 000005
【図５】
0004023947.tif 000006
【図６】
0004023947.tif 000007
【図７】
0004023947.tif 000008